(57)【要約】【課題】現場ごとに選択された洗浄容器を用いて、フィルタ又は電気集塵器を現場ごとに、汎用的に、かつ効率的に洗浄することが可能なポータブル気泡発生ユニットを提供する。【解決手段】ポータブル気泡発生ユニット１０は、フィルタ又は電気集塵器７０を洗浄溶液６０に浸漬させる洗浄容器９０と組み合わせて使用し、複数の気泡発生用孔３１を有する気泡発生手段３０と、加圧気体の発生源４０と、気泡発生手段３０と加圧気体の供給源４０とを着脱可能に接続し、気泡発生手段３０と加圧気体の供給源４０との接続を外すことで、気泡発生手段３０、加圧気体の供給源４０、及び気体用通路５０とを搬送可能に分離する、可撓性を有する気体用通路５０とを備える。【選択図】図１
2006263507.tif 000002
【特許請求の範囲】
【請求項１】
フィルタ又は電気集塵器の少なくとも１つを洗浄溶液に浸漬させる洗浄容器と組み合わせて用いられるフィルタ又は電気集塵器の少なくとも１つの洗浄用ポータブル気泡発生ユニットであって、
気体導入口と複数の気泡発生用孔とを有する気泡発生手段と、
気体供給口を有する加圧気体の供給源と、
気泡発生手段の気体導入口と供給源の気体供給口とを着脱可能に接続し、気泡発生手段の気体導入口及び供給源の気体供給口との接続を外すことにより、気泡発生手段と供給源、及び気体用通路とを搬送可能に分離する、可撓性を有する気体用通路と、
を備えることを特徴とするポータブル気泡発生ユニット。
【請求項２】
請求項１に記載のポータブル気泡発生ユニットにおいて、
気泡発生手段は、洗浄容器の形状に合わせ変形可能な可撓性材料で構成されることを特徴とするポータブル気泡発生ユニット。
【請求項３】
請求項１に記載のポータブル気泡発生ユニットにおいて、
気泡発生手段は、フィルタ又は電気集塵器の少なくとも１つの形状に合わせ変形可能な可撓性材料で構成されることを特徴とするポータブル気泡発生ユニット。
【請求項４】
請求項２ないし３のいずれか１つに記載のポータブル気泡発生ユニットにおいて、
気体発生手段は、銅配管で構成されることを特徴とするポータブル気泡発生ユニット。
【請求項５】
請求項１、２、３、４のいずれか１つに記載のポータブル気泡発生ユニットであって、
気泡発生手段の気体導入口から気体用通路を外すことで、加圧気体の供給源に接続された気体用通路により、フィルタ又は電気集塵器の少なくとも１つの乾燥用ブロアを備えることを特徴とするポータブル気泡発生ユニット。
【発明の詳細な説明】
【技術分野】
【０００１】
本発明は、ポータブル気泡発生ユニットに係り、詳しくは、フィルタ又は電気集塵器を現場ごとに、汎用的に、かつ効率的に洗浄するポータブル気泡発生ユニットに関する。
【背景技術】
【０００２】
オフィスビルや工場などにおいては、室内の快適な環境を確保するため、空調機器や空気清浄機等により、室内に浮遊する塵埃の除去やタバコの煙等により汚染された空気の浄化が行われている。この塵埃等の除去や空気の浄化の方法としては、大別して、フィルタにより塵埃等を捕集するフィルタ方式と、電気集塵器（コレクタ）により静電気の力で塵埃等を集塵電極に吸着捕集する電気集塵方式と、がある。これらのいずれの方式においても、フィルタ又は電気集塵器は、その性能を維持するため、捕集され付着した塵埃、煙草のタール、あるいは油系固形物等を定期的に洗浄しなければならない。
【０００３】
従来、オフィスビル等の空調機器等のフィルタ又は電気集塵器の洗浄は、オフィスビル等の現場においてフィルタ又は電気集塵器を取り外して洗い場に持ち込み、洗剤を含んだ水をかけながら、ブラシでこすって汚れを落とすのが一般的に行われていた。
【０００４】
一方、例えば、特許文献１には、フィルタ類の洗浄装置が、特許文献２には、タービン等の駆動装置内に設置されたフィルタの洗浄装置及び洗浄方法が開示されている。また、特許文献３には、集塵電極の洗浄装置及び洗浄方法として、泡沫状洗浄溶液を電気集塵器の集塵電極に噴射させる方法が開示されている。
【０００５】
特許文献１に開示されているフィルタ類の洗浄装置の概要を図５に示す。ここで、１５は洗浄槽、２５はフィルタを保持するホルダ、３５は整流プレート、Ｗはフィルタ、Ｂは気泡、Ｄは汚れを示す。ここでは、貯排水可能な洗浄槽の底部には複数のエア噴出孔を有するエア通路を設ける。複数のフィルタ類をホルダに起立保持して洗浄槽内に浸漬し、底部から多数の気泡を噴出させて洗浄槽内の水を強攪拌させ、気泡を起立状態の複数の各フィルタ類の表面及び裏面に繰り返し衝突させて微小振動を与えつつ、表面及び裏面に沿って上昇させ、フィルタ類の表面及び／又は裏面の汚れとその内部の汚れとを削ぎ取る（図中の矢印Ａ１，Ａ２，Ａ３，Ａ４参照）。
【０００６】
【特許文献１】特開平１１−１２３３０９号公報
【特許文献２】特開２００３−８８７１７号公報
【特許文献３】特開平１１−３４７４５１号公報
【発明の開示】
【発明が解決しようとする課題】
【０００７】
従来の手作業によるフィルタ又は電気集塵器の洗浄方法は、現場ごとに洗浄可能ではあるものの、すべて手作業で汚れを落とすことから、洗浄作業時間がかかり効率的ではない。また、洗剤が水とともに流されてしまうため、洗剤の使用量が多くなり不経済である。
【０００８】
一方、特許文献１，２，及び３に示されるような洗浄装置は、装置自体が大掛かりで重量も重いため、現場ごとに装置を搬送して洗浄作業をするのは困難である。さらに、上記洗浄装置は、洗浄槽自体に、気泡発生のための配管やドレイン排出のための排出口を加工して設けるため、洗浄するフィルタ又は電気集塵器のサイズが限定され、汎用的に使用できない。
【０００９】
上記のように、従来の手作業では効率が悪く、また従来技術である洗浄装置は、特定のフィルタ又は電気集塵器への常設を前提としているため、現場ごとに、汎用的に洗浄することは困難である。
【００１０】
本願の目的は、かかる課題を解決し、現場ごとに選択された洗浄容器を用いて、フィルタ又は電気集塵器を現場ごとに、汎用的に、かつ効率的に洗浄することを可能とするポータブル気泡発生ユニットを提供することである。
【課題を解決するための手段】
【００１１】
上記目的を達成するため、本発明に係るポータブル気泡発生ユニットは、フィルタ又は電気集塵器の少なくとも１つを洗浄溶液に浸漬させる洗浄容器と組み合わせて用いられるフィルタ又は電気集塵器の少なくとも１つの洗浄用ポータブル気泡発生ユニットであって、気体導入口と複数の気泡発生用孔とを有する気泡発生手段と、気体供給口を有する加圧気体の供給源と、気泡発生手段の気体導入口と供給源の気体供給口とを着脱可能に接続し、気泡発生手段の気体導入口及び供給源の気体供給口との接続を外すことにより、気泡発生手段と供給源、及び気体用通路とを搬送可能に分離する、可撓性を有する気体用通路と、を備えることを特徴とする。
【００１２】
また、ポータブル気泡発生ユニットの気泡発生手段は、洗浄容器の形状に合わせ変形可能な可撓性材料で構成されることが好ましい。
【００１３】
また、ポータブル気泡発生ユニットの気泡発生手段は、フィルタ又は電気集塵器の少なくとも1つの形状に合わせ変形可能な可撓性材料で構成されることが好ましい。
【００１４】
更に、ポータブル気泡発生ユニットの気体発生手段は、銅配管で構成されることが好ましい。
【００１５】
また、ポータブル気泡発生ユニットは、気泡発生手段の気体導入口から気体用通路を外すことで、加圧気体の供給源に接続された気体用通路により、フィルタ又は電気集塵器の少なくとも１つの乾燥用ブロアを備えることが好ましい。
【発明の効果】
【００１６】
上記構成により、ポータブル気泡発生ユニットは、洗浄容器と分離され、加圧気体の供給源、気体用通路、気泡発生手段のみで構成されるため現場ごとの洗浄作業が可能となる。また、加圧気体の供給源と気泡発生手段は、着脱可能な気体用通路により接続されているため、現場への分離した搬送及び現場での組立てが容易となる。
【００１７】
また、気泡発生手段は、例えば、細い銅配管を用いることで、現場において人力等により形状を変化させ易く、洗浄容器のサイズによらず汎用的な洗浄作業が可能となる。特に、より小型の洗浄容器を使用することで、より少量の洗浄溶液により効率的な洗浄が可能となる。さらに、気泡発生手段は、フィルタ又は電気集塵器の形状に合わせて任意の形状に変形させて使用することも可能で、この点からも汎用的な洗浄作業が可能となる。    
【００１８】
また、ポータブル気泡発生ユニットは、洗浄容器と分離されて使用され、気泡発生手段の取り付けのために洗浄容器を加工する必要がないため、現場ごとの適切な洗浄容器の選択が可能となる。
【００１９】
また、ポータブル気泡発生ユニットは、気泡発生手段の気体導入口から気体用通路との接続を外すことにより、加圧気体の供給源に接続された気体用通路によりフィルタ又は電気集塵器の乾燥用ブロアとして使用することで、効率的な現場作業が可能となる。
【００２０】
以上のように、本発明に係るポータブル気泡発生ユニットによれば、フィルタ又は電気集塵器を現場ごとに、汎用的に、かつ効率的に洗浄することが可能となる。
【発明を実施するための最良の形態】
【００２１】
以下に、図面を用いて本発明に係る実施の形態につき、詳細に説明する。
【００２２】
図１にポータブル気泡発生ユニット１０の構成を示す。図２にポータブル気泡発生ユニット１０を含む洗浄装置２０の全体構成を示す。ポータブル気泡発生ユニット１０は、気泡発生手段３０と、加圧気体の供給源４０と、気体用通路５０と、から構成される。
【００２３】
ここで、洗浄装置２０とは、現場ごとに選択された洗浄容器９０と上記ポータブル気泡発生ユニット１０とを組み合わせてフィルタ又は電気集塵器７０の洗浄を行う装置全体を総称する。
【００２４】
気泡発生手段３０は、図１に示すように、複数の気泡発生用孔３１を有する略直線状の筒状部分に、その筒状部分のほぼ中央部に筒状の気体導入口３２を気体が伝達可能なように接続する。また気体導入口３２は、気体用通路５０から気体が伝達可能な仕口である。以下では、気泡発生手段３０は、銅配管として説明し、細長い銅製の配管を加工して製作することが望ましいが、現場において人力等で曲げられる材料、例えばアルミニウム製でもよい。銅配管３０は、直径は、ほぼ１０ｍｍ乃至１５ｍｍ、長さは、ほぼ５００ｍｍ乃至６００ｍｍの中空管であるのが好ましい。銅配管３０の略直線部には、気泡発生用孔３１を複数個明ける。気泡発生用孔３１は、間隔は、ほぼ１０ｍｍ乃至２０ｍｍ、直径は、ほぼ０．５ｍｍ乃至１．０ｍｍであるのが好ましい。
【００２５】
加圧気体の供給源４０は、図１に示すように、気体用通路５０の一端が接続可能な気体供給口４１を有する。以下では、加圧気体の供給源４０は、エアコンプレッサとして説明するが、加圧された気体を発生する機能を有する機器、例えばボンベやエアーガン等でもよい。エアコンプレッサ４０は、現場ごとに動力源に接続して気体を発生する。
【００２６】
気体用通路５０は、図１に示すように、その両端にエアコンプレッサ４０と銅配管３０を接続し、エアコンプレッサ４０により発生した気体を銅配管３０に輸送する。気体用通路５０は、以下では、ホースとして説明し、市販のゴムホースを用いるのが望ましいが、エアコンプレッサ４０から発生した気体を輸送可能な可撓性材料、例えばビニールホース等でもよい。
【００２７】
洗浄容器９０は、市販のプラスチック製の容器を用いるのが適しているが、フィルタ又は電気集塵器７０を洗浄溶液６０に浸漬可能な幅と深さを有するものであれば、プラスチック製に限られない。また、洗浄容器９０は、フィルタ又は電気集塵器７０のサイズに合わせた種類の選択が可能である。フィルタ又は電気集塵器７０が小型である場合には、より小さな洗浄容器９０を用いて洗浄溶液６０を必要最小限とすることが望ましいが、この場合、洗浄容器９０の幅が銅配管３０の略直線状の筒状部分の長さよりも小さい場合でも、後述するように、銅配管３０の形状を調節することで使用可能となる。この洗浄容器９０には、フィルタ又は電気集塵器７０を縦置きする位置決めのための保持台９１を取り付ける。
【００２８】
洗浄容器９０と、洗浄容器９０の底部に配置したポータブル気泡発生ユニット１０とにより、現場においてフィルタ又は電気集塵器７０を洗浄する状態を図２に示す。
【００２９】
ポータブル気泡発生ユニット１０は、銅配管３０と、ホース５０と、エアコンプレッサ４０とに分離して現場に持ち込むことが可能である。洗浄容器９０は、ポータブル気泡発生ユニット１０と分離して現場に持ち込むか、現場で入手可能な洗浄容器９０を使用してもよい。
【００３０】
洗浄されるフィルタ又は電気集塵器７０は、洗浄容器９０の内面に取り付けられたフィルタ又は電気集塵器用の保持台９１により位置決めされ、縦置きされる。保持台９１は、気泡８０がフィルタ又は電気集塵器７０全体にかかるように下部に銅配管３０のスペースを確保する役割を有する。洗浄容器９０には、フィルタ又は電気集塵器７０が浸漬されるまで洗浄溶液９０が貯留される。この洗浄溶液９０は、水道水に酸性の洗剤を加えたものが望ましい。
【００３１】
次に、銅配管３０の気体導入口３２と一端を接続したホース５０の他端をエアコンプレッサ４０の気体供給口４１に接続した後、エアコンプレッサ４０のスイッチをＯＮにする。これにより、エアコンプレッサ４０の気体供給口４１からホース５０を介して銅配管３０の気体導入口３２に気体が輸送され、銅配管３０の略直線状の筒状部分に配置された気泡発生用孔３１から多数の気泡８０が発生する。
【００３２】
発生した気泡８０は、洗浄容器内の洗浄溶液６０を攪拌し、フィルタ又は電気集塵器７０に付着した塵埃、タバコのタール、油系固形物等による汚れに衝突し、汚れを削り落とす。
【００３３】
洗浄後は、フィルタ又は電気集塵器７０を水洗いする。その後、銅配管３０の気体導入口３２に接続されたホース５０を外し、このホース５０の端部をブロアの噴出口とする。すなわち、エアコンプレッサ４０の気体供給口４１から発生する気体が、エアコンプレッサ４０の気体供給口４１に接続されたホース５０を伝達し、接続されていないホース５０の端部から噴射する。これにより、水洗い後のフィルタ又は電気集塵器７０を短時間で乾燥させることができる。
【００３４】
上記において、洗浄するフィルタ又は電気集塵器７０は縦置きとしたが、洗浄するフィルタ又は電気集塵器７０を洗浄容器内で略水平に横置きして洗浄する状態を図３に示す。この場合には、発生する気泡８０が付着した塵埃、タバコのタール、油系固形物等による汚れに直接衝突するように、フィルタ又は電気集塵器７０の洗浄すべき面を銅配管３０に向けるのが望ましい。
【００３５】
なお、フィルタ又は電気集塵器７０が小型の場合は、より小さな洗浄容器９０を用いて洗浄溶液６０を必要最小限とすることが望ましいが、この場合、市販の洗浄容器９０は幅が限定されているため、銅配管３０の略直線状の筒状部分の長さよりも小さい幅の洗浄容器９０を使用することもあり得る。その場合であっても、図４に示すように、銅配管３０を現場にて人力等で曲げ、例えば、上部から見てＳ字形とすることで、洗浄容器９０に挿入することが可能となる。
【図面の簡単な説明】
【００３６】
【図１】本発明に係るポータブル気泡発生ユニットの構成を示す図である。
【図２】ポータブル気泡発生ユニット及び洗浄容器を用いた洗浄装置によるフィルタ又は電気集塵器の洗浄状態を示す断面図である。
【図３】フィルタ又は電気集塵器を横置きとした例を示す断面図である。
【図４】気泡発生手段の略直線状の筒状部分の長さよりも小さい幅の洗浄容器を使用する場合に、気体発生手段をＳ字形に曲げて洗浄する状態を上方から見た平面図である。
【図５】従来のフィルタ類の洗浄装置の例を示す図である。
【符号の説明】
【００３７】
１０  ポータブル気泡発生ユニット、２０  洗浄装置、３０  気泡発生手段、３1  気泡発生用孔、３２  気体導入口、４０  加圧気体の供給源、４１  気体供給口、５０  気体用通路、６０  洗浄溶液、７０  フィルタ又は電気集塵器、８０  気泡、９０  洗浄容器、９１  保持台。
【図１】
2006263507.tif 000003
【図２】
2006263507.tif 000004
【図３】
2006263507.tif 000005
【図４】
2006263507.tif 000006
【図５】
2006263507.tif 000007